(57)【要約】【課題】クランプ部分の強度を下げること無しに、クランプ部分を短くする歯付ベルト用継手を提供する。【解決手段】直線状の歯付ベルト２をループ状にしたとき該歯付ベルトの両端部を連結し、その連結部が歯付プーリ間で往復運動する歯付ベルト用継手１において、前記歯付ベルト２と同一な歯形を有し歯付ベルト２の一端にかみ合った第一歯付ベルト用継手４と、さらに歯付ベルト２の他端においても前記歯付ベルト２と同一な歯形を有し、歯付ベルト２にかみ合う第二歯付ベルト用継手６を備え、前記第一歯付ベルト用継手４と第二歯付ベルト用継手６がそれぞれ歯付ベルト２とかみ合った状態で積層し、該積層した歯付ベルト２と歯付ベルト用継手１を背面側及び歯側から挟持する挟持手段と、を備えたことを特徴とする歯付ベルト用継手１。【選択図】図１
2007155108.tif 000002
【特許請求の範囲】
【請求項１】
直線状の歯付ベルトをループ状にしたとき該歯付ベルトの両端部を連結し、その連結部が歯付プーリ間で往復運動する歯付ベルト用継手において、前記歯付ベルトと同一な歯形を有し歯付ベルトの一端にかみ合った第一歯付ベルト用継手と、さらに歯付ベルトの他端においても前記歯付ベルトと同一な歯形を有し、歯付ベルトにかみ合う第二歯付ベルト用継手を備え、前記第一歯付ベルト用継手と第二歯付ベルト用継手がそれぞれ歯付ベルトとかみ合った状態で積層し、該積層した歯付ベルトと歯付ベルト用継手を背面側及び歯側から挟持する挟持手段と、を備えたことを特徴とする歯付ベルト用継手。
【請求項２】
前記歯付ベルトと歯付ベルト片は複数の歯で互いにかみ合っている請求項１に記載の歯付ベルト用継ぎ手。
【発明の詳細な説明】
【技術分野】
【０００１】
本発明は歯付ベルト用継手に係り、特に直線状の歯付ベルトの両端を連結して、ループ状の歯付ベルトとする歯付ベルト用継手に関する。
【背景技術】
【０００２】
従来、工作機械等においては、テーブルを水平方向に往復運動させるために、歯付プーリと歯付ベルトからなる動力伝達機構が用いられている。このような動力伝達機構は、例えば一対の歯付プーリ間に歯付ベルトが巻き掛けられ、歯付プーリを交互に逆方向へ回転させることによって歯付ベルトに往復運動を与え、これによりテーブルを水平方向に往復移動させるようになっている。
上記歯付ベルトはループ状をなしているが、一般には直線状の歯付ベルトの両端を互いに連結することによって形成される。そして、その連結部はクランプ部材で挟持され、クランプ部材の一部を歯付ベルトに食い込ませて連結強度の向上が図られている。
【０００３】
しかしながら、上記従来技術では、ベルト連結部に引張荷重が加わったとき、クランプ部材の歯付ベルトに食い込んだ部分にだけ大きな力が作用するため、クランプ部材が変形する恐れがある。
又、クランプ部材の一部を歯付ベルトに食い込ませたときに、ベルトに孔が生じてしまうので、この孔から亀裂が発生して、歯付ベルトが弛んだり、歯付ベルトが破断したりする恐れもある。
【０００４】
そこで、特許文献１に記載されているように、直線上の歯付ベルトをループ状にしたとき該歯付ベルトの両端を連結し、その連結部が歯付プーリ間で往復運動する歯付ベルト用継手において、前記歯付ベルトと同一な歯形を有し歯付ベルトの両端にかみ合った歯付ベルトと歯付ベルト片を背面側から挟持する挟持手段と、を備えた歯付ベルト用継手が提案された。（図４）
【０００５】
【特許文献１】特開平４‐６９４３３号
【０００６】
しかし、この歯付ベルト用継手を使用した場合に、継手部分のベルト長手方向の強度を確保するために、クランプ歯数を片側で、６歯から８歯クランプする必要があり、そのために、継手部分の長さを長くなってしまい、搬送部分がクランプ部分の長さだけ短くなっていた。
【発明の開示】
【発明が解決しようとする課題】
【０００７】
本発明はこのような問題点を改善するものであり、クランプ部分の強度を下げること無しに、クランプ部分を短くする歯付ベルト用継手を提供することを目的としている。
【課題を解決するための手段】
【０００８】
即ち、本願請求項１記載の発明は、直線状の歯付ベルトをループ状にしたとき該歯付ベルトの両端部を連結し、その連結部が歯付プーリ間で往復運動する歯付ベルト用継手において、前記歯付ベルトと同一な歯形を有し歯付ベルトの一端にかみ合った第一歯付ベルト用継手と、さらに歯付ベルトの他端においても前記歯付ベルトと同一な歯形を有し、歯付ベルトにかみ合う第二歯付ベルト用継手を備え、前記第一歯付ベルト用継手と第二歯付ベルト用継手がそれぞれ歯付ベルトとかみ合った状態で積層し、該積層した歯付ベルトと歯付ベルト用継手を背面側及び歯側から挟持する挟持手段と、を備えたことを特徴とする歯付ベルト用継手である。
【０００９】
請求項２に記載の発明は、前記歯付ベルトと歯付ベルト片は複数の歯で互いにかみ合っている請求項１に記載の歯付ベルト用継ぎ手にある。
【発明の効果】
【００１０】
本願請求項１記載の発明では、直線状の歯付ベルトをループ状にしたとき該歯付ベルトの両端部を連結し、その連結部が歯付プーリ間で往復運動する歯付ベルト用継手において、前記歯付ベルトと同一な歯形を有し歯付ベルトの一端にかみ合った第一歯付ベルト用継手と、さらに歯付ベルトの他端においても前記歯付ベルトと同一な歯形を有し、歯付ベルトにかみ合う第二歯付ベルト用継手を備え、前記第一歯付ベルト用継手と第二歯付ベルト用継手がそれぞれ歯付ベルトとかみ合った状態で積層し、該積層した歯付ベルトと歯付ベルト用継手を背面側及び歯側から挟持する挟持手段と、を備えたことを特徴とする歯付ベルト用継手であることから、継手部分の強度を低下させることなく、継手部分の長さを短くできる効果がある。
【００１１】
請求項２に記載の発明では、前記歯付ベルトと歯付ベルト片は複数の歯で互いにかみ合っている請求項１に記載の歯付ベルト用継ぎ手であることから、継手部においてベルトの離脱やズレが起こりにくいという効果がある。
【発明を実施するための最良の形態】
【００１２】
図１は本発明の歯付ベルト用継手１を用いてベルトを嵌合した状態の一実施形態を示した図である。図１においてベルト用継手１は、嵌合する歯付ベルトと同じ大きさの歯溝を歯付ベルトの歯ピッチと同じピッチで設けている。端部でベルト歯とベルト用継手１の歯溝３とを嵌合させたものをそれぞれ上下に積層する。積層した後、ベルト背部５側から歯付ベルトと歯付ベルト継手とを挟持手段として第一固定治具１１にて固定する。さらに、歯付ベルト歯部７側からも歯付ベルト２と歯付ベルト用継手１とを挟持手段として第二固定治具１３にて固定する。そして、第一固定治具１１と第二固定治具１３は、交互に配列する。そうすることによって、歯付ベルト２が歯付ベルト用継手１間で強固に挟持される。本実施形態では、該歯付ベルト用継手１を上下に積層して固定しているが、歯付ベルト用継手１をベルト幅方向に並べて固定しても良い。
【００１３】
又、歯付ベルト用継手１の総厚は、２０ｍｍ〜５０ｍｍが好ましい。又、第一固定治具１１と第二固定治具１３は、ボルトとナットを使用し、その締め付け力は０．１ｋｇｆ・ｍ〜５．０ｋｇｆ・ｍが好ましい。
【００１４】
歯付ベルト２は、第３図に示すように、駆動プーリ１５とテンションプーリ１７に巻きかけられている。駆動プーリ１５とテンションプーリ１７の外周面には歯が形成されており、歯付ベルト２の歯は両プーリ１５、１７の歯とかみ合っている。駆動プーリ１５は動力源（図示せず）に接続され、交互に逆方向に回転することにより歯付ベルト２を往復運動させ、テーブル１９を矢印Ａ方向に往復移動させる。又テンションプーリ１７は歯付ベルト２に所定の張力を与えるものである。
【００１５】
尚、歯付ベルト２及び歯付ベルト用継手１の歯形としては、平歯、はす歯、山歯、台形は、丸歯等が適用可能であり、特に限定されない。
【００１６】
次に、上述した歯付ベルト用継手の歯付ベルトへの取付け方について説明する。
まず、歯付ベルト２の端部に第一歯付ベルト用継手をかみ合わせ、第一歯付ベルト用継手４の歯溝３内に歯付ベルト歯部７を嵌合させてから、さらに、同様にして歯付ベルト２の他端の歯付ベルト歯部７に第二歯付ベルト用継手６の歯溝３をかみ合わせる。そして、歯付ベルト２が嵌合した第一歯付ベルト用継手４と第二歯付ベルト用継手６を上下に積層してクランプボルトである第一固定治具１１及び第二固定治具１３にて仮の締め付けを行う。このとき、クランプボルトは、上から締め付けるものと、下から締め付けるものとを交互に配して締め付けると良い。次にテンションプーリ１７で歯付ベルト２に張力を与える。そうすると、第１図に示すように、歯付ベルト２の一方端（図の上側のベルト用継手の右側端部）は右側へ寄って各々の歯の右側面が第一歯付ベルト用継手４の歯溝３の左側面に接触するとともに、歯付ベルト２の他方端（図の下側のベルト用継手の左側端部）は左側へ寄って各々の歯の左側面が第二歯付ベルト用継手６の歯溝３の右側面に接触する。そして、最後にクランプボルトである第一固定治具１１及び第二固定治具１３を本締付する。
【図面の簡単な説明】
【００１７】
【図１】本発明の歯付ベルト用継手の構成図を示した側面概略図である。
【図２】図１のＡ‐Ａ線に沿った断面図である。
【図３】本発明の歯付ベルト用継手で連結された歯付ベルトとその歯付ベルトが巻きかけられたプーリの全体構成図である。
【図４】従来の歯付ベルト用継手の構成図を示した側面概略図である。
【符号の説明】
【００１８】
１    歯付ベルト用継手
２    歯付ベルト
３    歯溝
４    第一歯付ベルト用継手
５    歯付ベルト背部
６    第二歯付ベルト用継手
７    歯付ベルト歯部
９    Ｖリブ
１１  第一固定治具
１３  第二固定治具
１５  駆動プーリ
１７  テンションプーリ
【図１】
2007155108.tif 000003
【図２】
2007155108.tif 000004
【図３】
2007155108.tif 000005
【図４】
2007155108.tif 000006